(57)【要約】      （修正有）【課題】使用済みのニードルカニューレの引込みをもっと順調に行うことができる注射器を提供する。【解決手段】注射後、肩壁が係止リブ129を変形させて挟まれているうち、プランジャが更に押されると、ニードル座2が進んで第一の静的摩擦力を克服して前開口端123へしゅうどうさせられ、保持部23及び密封フランジ251をそれぞれ第1及び第２の摩擦減少領域1271,1272に入らせてニードル座2とバレルの周壁12の内壁面の摩擦力を減少シ、プランジャを後方へ引っ張ることを容易にさせることができ、ニードルカニューレ31の引き込みが順調に行われることができる。【選択図】図３
2005349179.tif 000002
【特許請求の範囲】
【請求項１】
その軸方向上に互いに対向している前後２の開口端（１２３，１２４）と、該前後２の開口端（１２３，１２４）の間に延伸して該前後２の開口端（１２３，１２４）の開口を連通している通路（１１）が形成され、且つ、前記前開口端（１２３）に近接している前段部（１２６）と前記後開口端（１２４）に近接している後段部（１２５）と前記前段部（１２６）と前記後段部（１２５）との間に延伸してなっている中段部（１２７）とからなっている周壁（１３）とを有するバレル（１）と、
管状のものであって前記バレル（１）の後開口端（１２４）から前記通路（１１）内に挿入され、且つ前記前開口端（１２３）寄りの所に係止固定されているニードル座（２）と、
前記ニードル座（２）によって固定されていて前記前開口端（１２３）から前方に突出しているニードルカニューレ（３１）と、
その前頭が少なくとも前記中段部（１２７）まで至ることができるように前記後段部（１２５）にある前記通路（１１）内に摺動可能に設けられているプランジャ（４）とを備えている注射器において、
前記バレル（１）の前記中段部（１２７）に前記軸方向において前記前段部（１２６）を遠ざかった保持領域（１４）が形成されており、
また、前記中段部（１２７）の、前記保持領域（１４）と前記前段部（１２６）との間及び前記保持領域（１４）と前記後段部（１２５）との間に、それぞれ第１の摩擦減少領域（１２７１）及び第２の摩擦減少領域（１２７２）が形成されており、
前記ニードル座（２）は、
前後方向に延伸してなってその後端が閉鎖壁（２４）になっている上、前記前段部（１２６）に密接しており、また、前記閉鎖壁（２４）に軸方向に沿う通孔（２９１）が形成されて前記ニードルカニューレ（３１）を固定している前結合部（２２）と、
前記閉鎖壁（２４）から後方へ延伸してなっている上、前記ニードル座（２）が通常の使用位置にある時、前記保持領域（１４）に保持され、それの前記保持領域（１４）に対する前後の移動の抵抗になる第１の静的摩擦力を生じることができるように配置されている保持部（２３）と、
前記保持部（２３）から更に後方へ延伸してなっており、後方への開口を有する後端壁（２１２）をなし、且つ、その内部に前記通孔（２９１）と連通しているキャビティー（２６）をなしている後結合部（２５）と、
前記後端壁（２１２）からその径方向へ張り出しになって前記後段部（１２５）にある周壁（１２）の内壁面（１２１）に密接していて前記ニードル座（２）全体が前方へ移動されるとその周縁が前記軸方向に沿って前記第２の摩擦減少領域（１２７２）に入ることができる前面壁（２５３）を有する密封フランジ（２５１）と、
前記キャビティー（２６）の内面（２６１）の前記閉鎖壁（２４）を遠ざかったところに設けられ、前記プランジャ（４）が前記キャビティー（２６１）内に挿入される時、プランジャ（４）の挿入によって生じる押圧力で前記径方向へ弾性変形されて凹むことができるように構成されている係止リブ（２６３）とを有し、
前記プランジャ（４）は前端壁（４１）と、前記前端壁（４１）の前方にある結合ヘッド（４３）と、前記前端壁（４１）と前記結合ヘッド（４３）との間に介在されており、それと前記結合ヘッド（４３）との間に肩壁（４３１）が形成されているネック部（４４）と、前記結合ヘッド（４３）及び前記ネック部（４４）に、それにかかる摺動時の後段部（１２５）の周壁（１２）に対する動的摩擦力がその前記結合ヘッド（４３）及び前記ネック部（４４）に対する移動の抵抗になる第２の静的摩擦力を超えないように外嵌していて通常時に前記結合ヘッド（４３）及び前記ネック部（４４）に保持されたまま前記後段部（１２５）に沿って密封的に摺動することができる密封手段（４５）とを有し、
それにより、使用状態のもとに、前記密封手段（４５）が前記プランジャ（４）と共に前方へ摺動させられると、前記密封手段（４５）が前記後端壁（２１２）に阻止され、それから、進んで前記プランジャ（４）が押されると、前記密封手段（４５）が前記第２の静的摩擦力に抗して前記結合ヘッド（４３）及び前記ネック部（４４）から脱出して後方へ前記前端壁（４１）まで移動すると同時に、前記結合ヘッド（４３）が前記キャビティー（２６）内に入って前記閉鎖壁（２４）へ摺動させられ、前記肩壁（４３１）が前記係止リブ（２６３）を押し付けて変形させ、そこに挟持され、後方へ摺動することができないようになることができ、
また、前記結合ヘッド（４３）及び前記キャビティー（２６）の内面（２６１）は、前記肩壁（４３１）が前記係止リブ（２６３）を変形させて挟まれているうち、前記プランジャ（４）が更に押されると、前記ニードル座（２）が進んで前記第１の静的摩擦力を克服して前記前開口端（１２３）へ摺動させられ、前記保持部（２３）及び前記密封フランジ（２５１）をそれぞれ前記第１及び前記第２の摩擦減少領域（１２７１，１２７２）に入らせて前記ニードル座９２）と前記バレル（１）の周壁（１２）の内壁面（１２１）の摩擦力を減少してから、前記プランジャ（４）を後方へ引っ張って前記ニードル座（２）を前記プランジャ（４）と共に前記後開口端（１２４）へ摺動させ、前記ニードルカニューレ（３１）を前記通路（１１）内に引込むことができるように構成されていることを特徴とする注射器。
【請求項２】
前記ニードル座（２）と前記結合ヘッド（４３）とに互いに係止することができるスプライン構造が構成されており、それにより前記肩壁（４３１）が前記係止リブ（２６３）に挟まれているうち、前記プランジャが更に押され、前記ニードル座（２）が進んで前記第１の静的摩擦力を克服して前記前開口端（１２３）へ摺動させられ、前記保持部（２３）及び前記密封フランジ（２５１）をそれぞれ前記第１及び前記第２の摩擦減少領域（１２７１，１２７２）に入らせて前記ニードル座（２）と前記バレル（１）の周壁（１２）の内壁面（１２１）の摩擦力を減少すると、前記ニードル座（２）が前記プランジャ（４）の回転に従って回転されることができることを特徴とする請求項１に記載の注射器。
【請求項３】
前記ニードル座（２）と前記結合ヘッド（４３）とに構成されている互いに係止することができるスプライン構造は、前記ニードル座（２）の前記キャビティー（２６）の内面（２６１）に、前後方向に沿っている上周方向に間隔を開けた複数のリブ（２６２）と、前記結合ヘッド（４３）に前記複数のリブ（２６２）と対応した複数の凹溝（４３２）とからなっており、
それにより、前記ニードル座（２）と前記結合ヘッド（４３）とが前記複数のリブ（２６２）と前記複数の凹溝（４３２）との間の係止で結合することができることを特徴とする請求項２に記載の注射器。
【請求項４】
前記前結合部（２２）に前記通孔（２９１）と連通している充填孔（２９２）が形成されており、前記充填孔（２９２）に接着剤が充填されて前記ニードルカニューレ（３１）を前記前結合部（２２）に接着固定されていることを特徴とする請求項１に記載の注射器。
【請求項５】
前記中段部（１２７）の前記保持領域（１４）と前記第２摩擦減少領域（１２７２）との間に接触肩部（１３）が形成されており、それにより、前記密封フランジ（２５１）が前記第２の摩擦減少領域（１２７２）に入ってから、前記前面壁（２５３）の周縁で前記接触肩部（１３）に止められることができることを特徴とする請求項１に記載の注射器。
【請求項６】
前記保持領域１４は前記中段部（１２７）に形成されている環状溝であり、前記ニードル座（２）の前記保持部（２３）に突起（２８）が形成されていて前記環状溝（１４）に突入して保持されることができることを特徴とする請求項１に記載の注射器。
【請求項７】
前記保持部（２３）に前後方向に延びている上、その外周縁が前記径方向において前記第１の摩擦減少領域（１２７１）を離れている複数のフィン（２７２）が前記周方向に沿って間隔を開けて形成されており、前記複数のフィン（２７２）の前記周方向に沿う輪郭の合成構造が前記突起（２８）になっていることを特徴とする請求項６に記載の注射器。
【請求項８】
前記中段部（１２７）に前後方向に延びている上、前記第２の摩擦減少領域（１２７２）を介して前記密封フランジ（２５１）と間隔をあけている複数のフィン（１３１）がそれぞれ前記周方向に沿って間隔を開けて形成されており、前記各フィン（１３１）は、前記径方向の円心方向へ集束して末端部（１３１１）になっており、前記複数の末端部（１３１１）の前記周方向に沿う輪郭の合成構造が前記環状溝（１４）になっていることを特徴とする請求項６に記載の注射器。
【請求項９】
前記前段部（１２６）は前記前開口端（１２３）へ集束していて前記ニードル座（２）が前記前開口端（１２３）から離脱することを防止することができることを特徴とする請求項１に記載の注射器。
【請求項１０】
前記周壁（１２）の外壁面（１２２）に前記前開口端に近接したリブ部（１２９）が形成されており、また、前記バレル（１）の周壁（１２）の外壁面（１２２）にプロテクター（３２）が前記ニードルカニューレ（３１）を覆うように外嵌していることを特徴とする請求項１に記載の注射器。
【請求項１１】
前記ニードル座（２）の、その前記前結合部（２２）と前記前段部（１２６）との間及びその前記密封フランジ（２５１）と前記後段部（１２５）との間の少なくとも一つに、気密を補強するＯリング（５）が設けられていることを特徴とする請求項１に記載の注射器。
【請求項１２】
前記バレル（１）の前記周壁（１２）の外壁面（１２２）に、前方へ面している上、前記前開口端（１２３）を遠ざかった環状階段部（１２０）が形成されており、前記環状階段部（１２０）と前記前開口端（１２３）との間に前端部（１２２１）が介在されており、
また、前記前端部（１２２１）に外嵌して前記階段部（１２０）に当接している突縁を有する嵌部と、前記軸方向に前記嵌部と反対した先端部とからなっているカテーテルハブ（３３）と、
管状のものであって前記先端部内に配置されている近端部と、前記軸方向に沿って前記近端部から延伸して前記先端部外に突出している遠端部とからなっているカテーテル（３４）とを備えていることを特徴とする請求項１に記載の注射器。
【請求項１３】
前記前結合部（２２）はるベース部を有し、該るベース部は、ニードル座（２）が使用状態にある通常時に、前記前開口端（１２３）からバレル（１）外に露出していることを特徴とする請求項１に記載の注射器。
【請求項１４】
前記前結合部（２２）にはそれをプロテクター（３２）が外嵌してて前記ニードルカニューレ（３１）を覆うことができるプロテクター（３２）が付されていることを特徴とする請求項１３に記載の注射器。
【請求項１５】
前記前結合部（２２）にハブ手段（３５）が外嵌して前記ニードルカニューレ（３１）を固定している上、前記ニードルカニューレ（３１）と前記通孔（２９１）とを連通させていることを特徴とする請求項１３に記載の引込み可能な注射器。
【請求項１６】
前記ハブ手段（３５）に外嵌している嵌部と、前記嵌部と反対した先端部とからなっているカテーテルハブ（３３）と、
管状のものであって前記先端部内に配置されている近端部と、前記軸方向に沿って前記近端部から延伸して前記先端部外に突出している遠端部とからなっているカテーテル（３４）とを備えていることを特徴とする請求項１５に記載の注射器。
【請求項１７】
前記保持領域（１４）は、前後方向に延びている上、前記周方向に沿って間隔をあけて形成されている複数の凹溝（１４１）を有し、
前記中段部（１２７）に複数の障壁（１５）が前記周方向に沿って間隔をあけて形成されており、
前記ニードル座（２）の前記保持部（２３）は、前後方向に延びている上、前記周方向に沿って間隔をあけて形成されている複数の仕切り壁（２７２）と、それぞれ前記各仕切り壁（２７２）から前記径方向に沿って外へ突出している複数のブロック（２９）とを有し、
前記ニードル座（２）は、前記後開口端（１２４）から、前記各仕切り壁（２７２）が隣り合った前記２の障壁（１５）の間に進入したまで前記通路（１１）内に挿入され、そして前記各仕切り壁（２７２）の前記各ブロック（２９）をそれと対応した前記凹溝（１４１）に嵌入させたまで時計方向及び反時計方向のいずれかに所定角度に回転され、隣合った２の前記障壁（１５）のいずれかにより前記第２摩擦減少領域（１２７２）に対する軸方向に沿う摺動を阻止され、前記通常の使用状態に保持されていることを特徴とする請求項１３に記載の注射器。
【請求項１８】
前記保持領域（１４）は前記複数の凹溝（１４１）から前記径方向に沿って内へ突出している複数の突起（１４３）を有し、それにより、前記プランジャ（４）を後方へ引っ張って前記ニードル座（２）を前記プランジャ（４）と共に前記後開口端（１２４）へ摺動させ、前記ニードルカニューレ（３１）を前記通路（１１）内に引込もうとするために、前記ニードル座（２）を時計方向及び反時計方向のいずれかに所定角度に回転する時、前記各仕切り壁（２７２）の前記ブロック（２９）が前記突起（１４３）に突き当てられることにより、使用者に前記ブロック（２９）が前記軸方向に沿う摺動の制限解除を知らせうることを特徴とする請求項１７に記載の注射器。
【請求項１９】
前記密封手段（４５）は前記前端壁（４１）と間隔をあけていて前記第２の摩擦力に抗して前記前端壁へ移動させられることができることを特徴とする請求項１に記載の注射器。
【発明の詳細な説明】
【技術分野】
【０００１】
本発明は注射器に関し、もっと詳しくは、ニードルカニューレをバレル内に引込むことができる注射器に関する。
【背景技術】
【０００２】
出願人は、特開２００４−１９４３８５号にて「注射器」を提案している。この注射器において、使用済みのニードルカニューレをプランジャ内に引込む機構があり、それにより、ニードルカニューレの誤刺しによる感染を防止することができるが、出願人は、この機構によるニードルカニューレの引込み動作は順調性がまだまだ理想とは言えないと思う。
【発明の開示】
【発明が解決しようとする課題】
【０００３】
出願人は、検討に検討を重ねて、使用済みのニードルカニューレの引込みをもっと順調に行うことができる注射器を提供しようとすることを本発明の目的とする。
【課題を解決するための手段】
【０００４】
前記目的を達成するために、本発明は、バレルと、ニードル座と、ニードルカニューレと、プランジャとをそれぞれ以下のように備えている注射器を提供する。前記バレルは、その軸方向上に互いに対向している前後２の開口端と、該前後２の開口端の間に延伸して該前後２の開口端の開口を連通している通路が形成され、且つ、前記前開口端に近接している前段部と前記後開口端に近接している後段部と前記前段部と前記後段部との間に延伸してなっている中段部とからなっている周壁とを有する。
【０００５】
前記ニードル座は、管状のものであって前記バレルの後開口端から前記通路内に挿入され、且つ前記前開口端寄りの所に係止固定されている。前記ニードルカニューレは、前記ニードル座によって固定されていて前記前開口端から前方に突出している。前記プランジャは、その前頭が少なくとも前記中段部まで至ることができるように前記後段部にある前記通路内に摺動可能に設けられている。前記バレルの前記中段部に前記軸方向において前記前段部を遠ざかった保持領域が形成されており、また、前記中段部の、前記保持領域と前記前段部との間及び前記保持領域と前記後段部との間に、それぞれ第１の摩擦減少領域及び第２の摩擦減少領域が形成されている。
【０００６】
前記ニードル座は、前後方向に延伸してなってその後端が閉鎖壁になっている上、前記前段部に密接しており、また、前記閉鎖壁に軸方向に沿う通孔が形成されて前記ニードルカニューレを固定している前結合部と、前記閉鎖壁から後方へ延伸してなっている上、前記ニードル座が使用位置にある時、前記保持領域に保持され、それの前記保持領域に対する前後の移動の抵抗になる第１の静的摩擦力を生じることができるように配置されている保持部と、前記保持部から更に後方へ延伸してなっており、後方への開口を有する後端壁をなし、且つ、その内部に前記通孔と連通しているキャビティーをなしている後結合部と、前記後端壁からその径方向へ張り出しになって前記後段部にある周壁の内壁面に密接していて前記ニードル座全体が前方へ移動されるとその周縁が前記軸方向に沿って前記第２の摩擦減少領域に入ることができる前面壁を有する密封フランジと、前記キャビティーの内面の前記閉鎖壁を遠ざかったところに設けられ、前記プランジャが前記キャビティー内に挿入される時、プランジャの挿入によって生じる押圧力で前記径方向へ弾性変形されて凹むことができるように構成されている係止リブとを有する。
【０００７】
前記プランジャは前端壁と、前記前端壁の前方にある結合ヘッドと、前記前端壁と前記結合ヘッドとの間に介在されており、それと前記結合ヘッドとの間に肩壁が形成されているネック部と、前記結合ヘッド及び前記ネック部に、それにかかる摺動時の後段部の周壁に対する動的摩擦力がその前記結合ヘッド及び前記ネック部に対する移動の抵抗になる第２の静的摩擦力を超えないように外嵌していて通常時に前記結合ヘッド及び前記ネック部に保持されたまま前記後段部に沿って密封的に摺動することができる密封手段とを有する。それにより、使用状態のもとに、前記密封手段が前記プランジャと共に前方へ摺動させられると、前記密封手段が前記後端壁に阻止され、それから、進んで前記プランジャが押されると、前記密封手段が前記第２の静的摩擦力に抗して前記結合ヘッド及び前記ネック部から脱出して後方へ前記前端壁まで移動すると同時に、前記結合ヘッドが前記キャビティー内に入って前記閉鎖壁へ摺動させられ、前記肩壁が前記係止リブを押し付けて変形させ、そこに挟持され、後方へ摺動することができないようになることができる。
【０００８】
また、前記結合ヘッド及び前記キャビティーの内面は、前記肩壁が前記係止リブを変形させて挟まれているうち、前記プランジャが更に押されると、前記ニードル座が進んで前記第１の静的摩擦力を克服して前記前開口端へ摺動させられ、前記保持部及び前記密封フランジをそれぞれ前記第１及び前記第２の摩擦減少領域に入らせて前記ニードル座と前記バレルの周壁の内壁面の摩擦力を減少してから、前記プランジャを後方へ引っ張って前記ニードル座を前記プランジャと共に前記後開口端へ摺動させ、前記ニードルカニューレを前記通路内に引込むことができるように構成されている。
【発明の効果】
【０００９】
上記構成の注射器によれば、注射後、前記肩壁が前記係止リブを変形させて挟まれているうち、前記プランジャが更に押されると、前記ニードル座が進んで前記第１の静的摩擦力を克服して前記前開口端へ摺動させられ、前記保持部及び前記密封フランジをそれぞれ前記第１及び前記第２の摩擦減少領域に入らせて前記ニードル座と前記バレルの周壁の内壁面の摩擦力を減少し、即ち、前記保持部及び前記密封フランジがそれぞれ前記保持領域及び前記後段部にある周壁の内壁面による保持状態から前記第１の摩擦減少領域及び前記第２の摩擦減少領域内にある緩和状態に変更されるので、前記プランジャによる引込み動作の移動に対する抵抗になる静的摩擦力が大幅に減少し、前記プランジャを後方へ引っ張ることを容易にさせることができ、前記ニードルカニューレの引込みが順調に行われることができる。
【発明を実施するための最良の形態】
【００１０】
以下、図面を参照しながら、本発明の注射器の好ましい実施形態を説明する。
【００１１】
先ず、図１乃至図３を参照しながら、本発明の第１の実施形態を説明する。図１に示すように、本実施形態の注射器は、バレル１と、ニードル座２と、ニードルカニューレ３１と、プランジャ４とを有する。
【００１２】
バレル１は、その軸方向上に互いに対向している前後２の開口端１２３，１２４と、該前後２の開口端１２３，１２４の間に延伸して該前後２の開口端１２３，１２４の開口を連通している通路１１が形成され、且つ、前開口端１２３に近接している前段部１２６と、後開口端１２４に近接している後段部１２５と、前段部１２６と後段部１２５との間に延伸してなっている中段部１２７とからなっている周壁１２とを有する。
【００１３】
そして、バレル１の中段部１２７に前記軸方向において前段部１２６を遠ざかった保持領域１４が形成されている。本実施形態において、この保持領域１４は中段部１２７に形成されている環状溝である。また、図３に示すように、中段部１２７の、保持領域１４と前段部１２６との間及び保持領域１４と後段部１２５との間に、それぞれ第１の摩擦減少領域１２７１及び第２の摩擦減少領域１２７２が形成されている。中段部１２７の保持領域１４と第２摩擦減少領域１２７２との間に接触肩部１３が形成されている。
【００１４】
周壁１２の外壁面１２２に前開口端１２３に近接したリブ部１２９が形成されている。また、バレル１の周壁１２の外壁面１２２にプロテクター３２がニードルカニューレ３１を覆うように外嵌している上、リブ部１２９に係止されている。
【００１５】
ニードル座２は、管状のものであってバレル１の後開口端１２４から通路１１内に挿入され、且つ前開口端１２３寄りの所に係止固定されている。ニードル座２は、前結合部２２と、保持部２３と、後結合部２５と、密接フランジ２５１と、係止リブ２６３と、リブ２６２とを有する。前結合部２２は、前後方向に延伸してなってその後端が閉鎖壁２４になっている上、前段部１２６に密接しており、また、閉鎖壁２４に軸方向に沿う通孔２９１が形成されてニードルカニューレ３１を固定している。前結合部２２に通孔２９１と連通している充填孔２９２が形成されている。本実施形態において、充填孔２９２に接着剤が充填されてニードルカニューレ３１を前結合部２２に接着固定されている。また、前段部１２６は前開口端１２３へ集束していてニードル座２が前開口端１２３から離脱することを防止することができる。そして、図２に示すように、ニードルカニューレ３１は前結合部２２に接着固定されている固着部３１１と、該固着部３１１から前方へ延伸して前開口端１２３の開口１２８から露出している先端部３１２とからなっている。
【００１６】
また、保持部２３は、閉鎖壁２４から後方へ延伸してなっている上、ニードル座２が通常の使用位置にある時、保持領域１４に保持され、それの保持領域１４に対する前後の移動の抵抗になる第１の静的摩擦力を生じることができるように配置されている。もっと詳しく言うと、保持部２３に前後方向に延びている上、その外周縁が前記径方向において第１の摩擦減少領域１２７１を離れている複数のフィン２７２が前記周方向に沿って間隔を開けて形成されている。複数のフィン２７２の前記周方向に沿う輪郭の合成構造が突起２８になっている。この突起２８が形成されていて環状溝１４に突入して保持されることができる。
【００１７】
後結合部２５は、保持部２３から更に後方へ延伸してなっており、後方への開口を有する後端壁２１２をなし、且つ、その内部に通孔２９１と連通しているキャビティー２６をなしている。密封フランジ２５１は、後端壁２１２からその径方向へ張り出しになって後段部１２５にある周壁１２の内壁面１２１に密接していてニードル座２全体が前方へ移動されると、その周縁が前記軸方向に沿って第２の摩擦減少領域１２７２に入ることができる前面壁２５３を有する。
【００１８】
本実施形態において、係止リブ２６３は複数あり、キャビティー２６の内面２６１の閉鎖壁２４を遠ざかったところに設けられ、プランジャ４がキャビティー２６内に挿入される時、プランジャ４の挿入によって生じる押圧力で前記径方向へ弾性変形されて凹むことができるように構成されている。
【００１９】
プランジャ４は、その前頭が少なくとも中段部１２７まで至ることができるように後段部１２５にある通路１１内に摺動可能に設けられている。もっと詳しく説明すると、このプランジャ４は前端壁４１と、前端壁４１の前方にある結合ヘッド４３と、前端壁４１と結合ヘッド４３との間に介在されており、それと結合ヘッド４３との間に肩壁４３１が形成されているネック部４４と、前端壁４１とネック部４４との間に介在されている延伸棒４２と、結合ヘッド４３及びネック部４４に、それにかかる摺動時の後段部１２５の周壁１２に対する動的摩擦力がその結合ヘッド４３及びネック部４４に対する移動の抵抗になる第２の静的摩擦力を超えないように外嵌していて通常時に結合ヘッド４３及びネック部４４に保持されたまま後段部１２５に沿って密封的に摺動することができる密封手段４５とを有する。密封手段４５は前端壁４１と間隔をあけていて前記第２の摩擦力に抗して前端壁４１へ移動させられることができる。
【００２０】
そして、ニードル座２と結合ヘッド４３とに互いに係止することができるスプライン構造が構成されている。もっと詳しく説明すると、ニードル座２と結合ヘッド４３とに構成されている互いに係止することができるスプライン構造は、ニードル座２のキャビティー２６の内面２６１に、前後方向に沿っている上、周方向に間隔を開けた複数のリブ２６２と、結合ヘッド４３に複数のリブ２６２と対応した複数の凹溝４３２とからなっている。
【００２１】
図４に示すように、使用状態のもとに、密封手段４５がプランジャ４と共に前方へ摺動させられると、密封手段４５が後端壁２１２に阻止される。それから、図５に示すように、注射が完了した後、進んでプランジャ４が押されると、密封手段４５が前記第２の静的摩擦力に抗して結合ヘッド４３及びネック部４４から脱出して後方へ前記前端壁４１まで移動すると同時に、結合ヘッド４３がキャビティー２６内に入って閉鎖壁２４へ摺動させられ、肩壁４３１が係止リブ２６３を押し付けて変形させ、そこに挟持され、後方へ摺動することができないようになることができる。この時、ニードル座２と結合ヘッド４３とが複数のリブ２６２と複数の凹溝４３２との間の係止で結合することができる。
【００２２】
それから、肩壁４３１が係止リブ２６３を変形させて挟まれているうち、プランジャ４が更に押されると、ニードル座２が進んで前記第１の静的摩擦力を克服して前開口端１２３へ摺動させられ、前面壁２５３の周縁で接触肩部１３に止められるまで保持部２３の複数のフィン２７２及び密封フランジ２５１をそれぞれ第１及び第２の摩擦減少領域１２７１，１２７２に入らせてニードル座２とバレル１の周壁１２の内壁面１２１の摩擦力を減少することができる。そして、プランジャ４が回転され、ニードル座２がプランジャ４の回転に従い回転され、ニードル座２とバレル１との間の密接を破壊し、ニードル座２とバレル１の周壁１２の内壁面１２１の摩擦力を更に減少することができる。そして、図６に示すように、プランジャ４を後方へ引っ張ってニードル座２をプランジャ４と共に後開口端１２４へ摺動させ、ニードルカニューレ３１を通路１１内に引込むことができる。最後に、プランジャ４を折るだけで注射器を捨てることができる。
【００２３】
上記のように、注射が完了した後、肩壁４３１が係止リブ２６３を変形させて挟まれているうち、プランジャ４が更に押されると、ニードル座２が進んで前記第１の静的摩擦力を克服して前開口端１２３へ摺動させられ、保持部２３及び密封フランジ２５１をそれぞれ第１及び第２の摩擦減少領域１２７１，１２７２に入らせてニードル座２とバレル１の周壁１２の内壁面１２１の摩擦力を減少し、即ち、保持部２３及び密封フランジ２５１がそれぞれ保持領域２３及び後段部１２５にある周壁１２の内壁面１２１による保持状態から第１の摩擦減少領域１２７１及び第２の摩擦減少領域内１２７２にある緩和状態に変更されるので、プランジャ４による引込み動作の移動に対する抵抗になる静的摩擦力が大幅に減少し、プランジャ４を後方へ引っ張ることを容易にさせることができ、ニードルカニューレ３１のバレル１内への引込みが順調に行われることができる。
【００２４】
次に、図７に示すのは、本発明の第２の実施形態である。本実施形態において前記第１の実施形態と異なる点は、ニードル座２の、その前結合部２２と前段部１２６との間に気密を補強するＯリング５が設けられていることにある。
【００２５】
そして、図８に示すのは、本発明の第３の実施形態である。本実施形態において、前記第１の実施形態と異なる点はニードル座２の、その密封フランジ２５１と後段部１２５との間に、気密を補強するＯリング５が設けられていることにある。
【００２６】
次に、図９に示すのは本発明の第４の実施形態である。本実施形態において、前記第１の実施形態とほぼ同様に構成されているが、以下のようにいくつかの差異がある。即ち、中段部１２７に前後方向に延びている上、第２の摩擦減少領域１２７２を介して密封フランジ２５１と間隔をあけている複数のフィン１３１がそれぞれ前記周方向に沿って間隔を開けて形成されている。そして、各フィン１３１は、前記径方向の円心方向へ集束して末端部１３１１になっており、複数の末端部１３１１の前記周方向に沿う輪郭の合成構造が環状溝１４になっている。そして、突起２８は直接に保持部２３に形成されている環状突起である。複数のフィン２７２は保持部２３の閉鎖壁２４寄りのところに形成されている。それにより、突起２８は環状溝１４に保持されることができる。
【００２７】
次に、図１０に示すのは、本発明の第５の実施形態である。本実施形態において前記第４の実施形態と異なる点は、ニードル座２の、その前結合部２２と前段部１２６との間に気密を補強するＯリング５が設けられていることにある。
【００２８】
次に、図１１及び図１２に示すのは、本発明の第６乃至第８の実施形態である。これらの実施形態はそれぞれ前記第１乃至前記第３の実施形態に対応している。これらの実施形態において前記第１乃至前記第３の実施形態と異なる点は、注射器は更にカテーテルハブ３３とカテーテル３４とを備えていることにある。それにより、これらの実施形態の注射器は静脈内カテーテル挿入装置として使用され、採血や薬剤の注射を行うことができる。
【００２９】
もっと詳しく説明すると、バレル１の周壁１２の外壁面１２１に、前方へ面している上、前開口端１２３を遠ざかった環状階段部１２０が形成されており、環状階段部１２０と前開口端１２３との間に前端部１２２１が介在されている。カテーテルハブ３３は前端部１２２１に外嵌して階段部１２０に当接している突縁を有する嵌部と、前記軸方向に前記嵌部と反対した先端部とからなっている。カテーテル３４は管状のものであって前記先端部内に配置されている近端部と、前記軸方向に沿って前記近端部から延伸して前記先端部外に突出している遠端部とからなっている。このように、ニードルカニューレ３１を患者の血管に穿刺してからカテーテル３４を血管内に挿入し、カテーテルハブ３３をバレル１から分離することで、静脈カテーテル挿入が完了する。その後、上述した実施形態のように、ニードルカニューレ３１をバレル１内に引込むことができる（図１２参照）。
【００３０】
次に、図１３及び図１４に示すのは本発明の第９及び第１０の実施形態である。これらの実施形態はそれぞれ前記第４及び第５の実施形態に対応している。これらの実施形態において、前記第４及び前記第５の実施形態と異なる点は、注射器は更にカテーテルハブ３３とカテーテル３４とを備えていることにある。それにより、これらの実施形態の注射器は静脈内カテーテル挿入装置として使用され、採血や薬剤の注射を行うことができる。
【００３１】
もっと詳しく説明すると、バレル１の周壁１２の外壁面１２１に、前方へ面している上、前開口端１２３を遠ざかった環状階段部１２０が形成されており、環状階段部１２０と前開口端１２３との間に前端部１２２１が介在されている。カテーテルハブ３３は前端部１２２１に外嵌して階段部１２０に当接している突縁を有する嵌部と、前記軸方向に前記嵌部と反対した先端部とからなっている。カテーテル３４は管状のものであって前記先端部内に配置されている近端部と、前記軸方向に沿って前記近端部から延伸して前記先端部外に突出している遠端部とからなっている。このように、ニードルカニューレ３１を患者の血管に穿刺してからカテーテル３４を血管内に挿入し、カテーテルハブ３３をバレル１から分離することで、静脈カテーテル挿入が完了する。その後、上述した実施形態のように、ニードルカニューレ３１をバレル１内に引込むことができる。
【００３２】
次に、図１５及び図１６に示すのは本発明の第１１乃至第１３の実施形態である。これらの実施形態は前記第１の実施形態とほぼ同様に構成されているが、異なる点は、バレル１及びプランジャ４の直径は前記第１の実施形態より小であることにある。それに応じて、これらの実施形態において、ニードル座２の体積が小さくなっている。即ち、第１１の実施形態において、保持部２３には、複数のフィン２７２が設けられず、直接環状突起２８が形成されている。また、第１２の実施形態において、閉鎖壁２４にＯリング５設けられている。また、第１３の実施形態において、保持部２３に環状突起２８が形成されており、且つ、保持部２３の閉鎖壁２４寄りのところに複数のフィン２７２が形成されている。それにより、これらの実施形態の注射器は例えば１ｍｌの極小量の薬剤を注射することができる。
【００３３】
次に、図１７及び図１８に示すのは、本発明の第１４の実施形態である。本実施形態は、前記第１の実施形態とほぼ同様に構成されているが、以下のように、いくつかの差異がある。前結合部２２はベース部を有し、該ベース部は、ニードル座２が使用状態にある通常時に、前開口端１２３からバレル１外に露出している。
【００３４】
そして、図１９と合わせてみると、中段部１２７に複数の障壁１５が前記周方向に沿って間隔をあけて形成されていて隣り合った２の障壁１５の間に凹陥１５１が形成されている。また、図２０に示すように、保持領域１４は、前後方向に延びている上、前記周方向に沿って複数の突出部１４２により間隔をあけて形成されている複数の凹溝１４１と、複数の凹溝１４１から前記径方向に沿って内へ突出している複数の突起１４３を有する。
【００３５】
ニードル座２の保持部２３は、前後方向に延びている上、前記周方向に沿って間隔をあけて形成されている複数の仕切り壁２７２と、それぞれ各仕切り壁２７２から前記径方向に沿って外へ突出している複数のブロック２９とを有する。
【００３６】
ニードル座２は、後開口端１２４から、各仕切り壁２７２がそれと対応した隣り合った２の障壁１５の間の凹陥１５１に進入したまで通路１１内に挿入され、そして各仕切り壁２７２の各ブロック２９をそれと対応した凹溝１４１に嵌入させたまで時計方向及び反時計方向のいずれかに所定角度に回転され、隣合った２の障壁１５のいずれかにより第２の摩擦減少領域１２７２に対する軸方向に沿う摺動を阻止され、前記通常の使用状態に保持されている。
【００３７】
そして、注射が完了した後、図２１に示すように、ニードル座２とプランジャ４とが結合してから、ニードル座２を時計方向及び反時計方向のいずれかに所定角度に回転する時、各仕切り壁２７２のブロック２９が突起１４３に突き当てられることにより、使用者にブロック２９が前記軸方向に沿う摺動の制限解除を知らせうる。従って、図２２に示すように、ニードル座２をプランジャ４と共に後開口端１２４へ摺動させ、ニードルカニューレ３１をバレル１内に引込むことができる。
【００３８】
なお、閉鎖壁２４及び前結合部２２のベース部にそれぞれ複数のフィン２７３，２７４が形成されている。前結合部２２にはそれをプロテクター３２が外嵌して複数のフィン２７４に係止されてニードルカニューレ３１を覆うことができるプロテクター３２が付されている。
【００３９】
次に、図２３に示すのは本発明の第１５の実施形態である。本実施形態において、前記第１４の実施形態と異なる点は、ニードル座２の、その密封フランジ２５１と後段部１２５との間に、気密を補強するＯリング５が設けられていることにある。
【００４０】
次に、図２４及び図２５に示すのは本発明の第１６の実施形態である。本実施形態において、前記第１４の実施形態と異なる点は、注射器は更にカテーテルハブ３３とカテーテル３４とを備えていることにある。それにより、これらの実施形態の注射器は静脈内カテーテル挿入装置として使用され、採血や薬剤の注射を行うことができる。カテーテルハブ３３は前結合部２２に外嵌している嵌部と、前記軸方向に前記嵌部と反対した先端部とからなっている。カテーテル３４は管状のものであって前記先端部内に配置されている近端部と、前記軸方向に沿って前記近端部から延伸して前記先端部外に突出している遠端部とからなっている。このように、ニードルカニューレ３１を患者の血管に穿刺してからカテーテル３４を血管内に挿入し、カテーテルハブ３３をバレル１から分離することで、静脈カテーテル挿入が完了する。その後、上述した実施形態のように、ニードルカニューレ３１をバレル１内に引込むことができる。
【００４１】
次に、図２６及び図２７に示すのは、本発明の第１７の実施形態である。本実施形態は、前記第１４の実施形態とほぼ同様に構成されているが、以下のように、いくつかの差異がある。即ち、前結合部２２にハブ手段３５が外嵌してニードルカニューレ３１の固着部３１１を固定している上、ニードルカニューレ３１と通孔２９１とを連通させている。ハブ手段３５の外周面３５１に複数のリブ部３５３が形成されていてプロテクター３２を係止することができる。
【００４２】
次に、図２８及び図２９に示すのは本発明の第１８の実施形態である。本実施形態は前記第１７の実施形態と異なる点は更にカテーテルハブ３３とカテーテル３４とを備えていることにある。もっと詳しく説明すると、カテーテルハブ３３は、ハブ手段３５に外嵌している嵌部と、前記嵌部と反対した先端部とからなっている。カテーテル３４は、管状のものであって前記先端部内に配置されている近端部と、前記軸方向に沿って前記近端部から延伸して前記先端部外に突出している遠端部とからなっている。それにより、本実施形態の注射器は静脈内カテーテル挿入装置として使用され、採血や薬剤の注射を行うことができる。
【００４３】
次に、図３０に示すのは、本発明の第１９乃至第２１の実施形態である。これらの実施形態において、それぞれ前記第１６乃至前記第１５と異なる点はニードル座２の、その密封フランジ２５１と後段部１２５との間に、気密を補強するＯリング５が設けられていることにある。
【産業上の利用可能性】
【００４４】
上述した実施形態から分かるように、本発明の注射器は、注射後、前記肩壁が前記係止リブを変形させて挟まれているうち、前記プランジャが更に押されると、前記ニードル座が進んで前記第１の静的摩擦力を克服して前記前開口端へ摺動させられ、前記保持部及び前記密封フランジをそれぞれ前記第１及び前記第２の摩擦減少領域に入らせて前記ニードル座と前記バレルの周壁の内壁面の摩擦力を減少し、即ち、前記保持部及び前記密封フランジがそれぞれ前記保持領域及び前記後段部にある周壁の内壁面による保持状態から前記第１の摩擦減少領域及び前記第２の摩擦減少領域内にある緩和状態に変更されるので、前記プランジャによる引込み動作の移動に対する抵抗になる静的摩擦力が大幅に減少し、前記プランジャを後方へ引っ張ることを容易にさせることができ、前記ニードルカニューレの引込みが順調に行われることができる。
【００４５】
従って、本発明は、使用済みのニードルカニューレの引込みをもっと順調に行うことができる注射器を提供することができる。
【図面の簡単な説明】
【００４６】
【図１】本発明の第１の実施形態の注射器を示す分解図
【図２】前記第１の実施形態の注射器の通常の使用状態を示す断面図
【図３】前記第１の実施形態の注射器の通常の使用状態を示す部分拡大図
【図４】前記第１の実施形態の注射器の注射が完了した状態を示す断面図
【図５】前記第１の実施形態のニードル座とプランジャとが結合した状態を示す部分拡大図
【図６】前記第１の実施形態のニードルカニューレがバレル内に引込まれた状態を示す断面図
【図７】本発明の第２の実施形態の注射器を示す部分断面図
【図８】本発明の第３の実施形態の注射器を示す部分断面図
【図９】本発明の第４の実施形態の注射器を示す部分断面図
【図１０】本発明の第５の実施形態の注射器を示す部分断面図
【図１１】本発明の第６乃至第８の実施形態の注射器を示す部分断面図
【図１２】前記第６の実施形態のニードルカニューレがバレル内に引込まれた状態を示す断面図
【図１３】本発明の第９及び第１０の実施形態の注射器を示す部分断面図
【図１４】前記第９の実施形態の注射器を示す部分拡大図
【図１５】本発明の第１１乃至第１３の実施形態の注射器を示す部分断面図
【図１６】前記第１１の実施形態のニードルカニューレがバレル内に引込まれた状態を示す断面図
【図１７】本発明の第１４の実施形態の注射器を示す分解図
【図１８】前記第１４の実施形態の注射器を示す部分断面図
【図１９】前記図１８のＩ―Ｉ断面図
【図２０】前記図１８のＩＩ―ＩＩ断面図
【図２１】前記図２０に類似し、ニードル座のブロックの回転状態を示す断面図
【図２２】前記第１４の実施形態のニードルカニューレがバレル内に引込まれた状態を示す断面図
【図２３】本発明の第１５の実施形態の注射器を示す部分断面図
【図２４】本発明の第１６の実施形態の注射器を示す部分断面図
【図２５】前記第１６の実施形態のカテーテルハブがバレルから分離された状態を示す断面図
【図２６】本発明の第１７の実施形態の注射器を示す部分断面図
【図２７】前記第１７の実施形態のニードルカニューレがバレル内に引込まれた状態を示す断面図
【図２８】本発明の第１８の実施形態の注射器を示す部分断面図
【図２９】前記第１８の実施形態のニードルカニューレがバレル内に引込まれた状態を示す断面図
【図３０】本発明の第１９乃至第２１の実施形態の注射器を示す断面図
【符号の説明】
【００４７】
１        バレル
１１      通路
１２      周壁
１２０    環状階段部
１２１    内壁面
１２１１  前端部
１２２    外壁面
１２３    前開口端
１２４    後開口端
１２５    後段部
１２６    前段部
１２７    中段部
１２７１  第１の摩擦減少領域
１２７２  第２の摩擦減少領域
１２８    開口
１２９    リブ部
１３      接触肩部
１３１    フィン
１３１１  末端部
１４      保持領域
１４１    凹溝
１４２    突出部
１４３    突起
１５      障壁
１５１    凹陥
２        ニードル座
２１２    後端壁
２２      前結合部
２３      保持部
２４      閉鎖壁
２５      後結合部
２５１    密封フランジ
２５３    前面壁
２６      キャビティー
２６１    内面
２６２    リブ
２６３    係止リブ
２７２    フィン
２７３    フィン
２７４    フィン
２８      突起
２９      ブロック
２９１    通孔
２９２    充填孔
３１      ニードルカニューレ
３１１    固着部
３１２    先端部
３３      カテーテルハブ
３４      カテーテル
３５      ハブ手段
３５１    外周面
３５３    リブ部
４        プランジャ
４２      延伸棒
４３      結合ヘッド
４３１    肩壁
４３２    凹溝
４４      ネック部
４５      密封手段
５        Ｏリング
【図１】
2005349179.tif 000003
【図２】
2005349179.tif 000004
【図３】
2005349179.tif 000005
【図４】
2005349179.tif 000006
【図５】
2005349179.tif 000007
【図６】
2005349179.tif 000008
【図７】
2005349179.tif 000009
【図８】
2005349179.tif 000010
【図９】
2005349179.tif 000011
【図１０】
2005349179.tif 000012
【図１１】
2005349179.tif 000013
【図１２】
2005349179.tif 000014
【図１３】
2005349179.tif 000015
【図１４】
2005349179.tif 000016
【図１５】
2005349179.tif 000017
【図１６】
2005349179.tif 000018
【図１７】
2005349179.tif 000019
【図１８】
2005349179.tif 000020
【図１９】
2005349179.tif 000021
【図２０】
2005349179.tif 000022
【図２１】
2005349179.tif 000023
【図２２】
2005349179.tif 000024
【図２３】
2005349179.tif 000025
【図２４】
2005349179.tif 000026
【図２５】
2005349179.tif 000027
【図２６】
2005349179.tif 000028
【図２７】
2005349179.tif 000029
【図２８】
2005349179.tif 000030
【図２９】
2005349179.tif 000031
【図３０】
2005349179.tif 000032